(57)【要約】本発明は、無線ＬＡＮ−ＡＰ（アクセスポイント）の自動探索方法に係り、無線ＬＡＮモジュール、移動通信モジュール、及びＧＰＳ受信モジュールが装着された端末機に含まれる。この方法は：ａ）前記移動通信モジュールを介して接続された基地局から、前記基地局のサービス領域内において供与される無線ＬＡＮ−ＡＰの位置情報を獲得する段階；ｂ）前記ＧＰＳ受信モジュールを介して、端末機自身の現位置を継続的に追跡する段階；ｃ）前記ａ）段階で獲得された無線ＬＡＮ−ＡＰの位置情報と、前記ｂ）段階で追跡された端末機自身の現位置情報とから、前記無線ＬＡＮモジュールの駆動開始時点を決定する段階；及びｄ）前記無線ＬＡＮモジュールを駆動して、無線ＬＡＮ−ＡＰから周期的に送出されるビーコン信号を検出する段階；を含む。
2006510259.tif 000002
【特許請求の範囲】
【請求項１】
無線ＬＡＮモジュール、移動通信モジュール、及びＧＰＳ受信モジュールが同時に装着された端末機における無線ＬＡＮ−ＡＰ（ＡＰ：アクセスポイント）を探索する方法において、
ａ）前記移動通信モジュールを介して接続された基地局から、前記基地局のサービス領域内に存在する無線ＬＡＮ−ＡＰの位置情報を獲得する段階；
ｂ）前記ＧＰＳ受信モジュールを介して、端末機自身の現位置を継続的に追跡する段階；
ｃ）前記ａ）段階で獲得した無線ＬＡＮ−ＡＰの位置情報と、前記ｂ）段階で追跡された端末機自身の現位置情報とを用いて、前記無線ＬＡＮモジュールの駆動開始時点を決定する段階；及び
ｄ）前記無線ＬＡＮモジュールを駆動して、無線ＬＡＮ−ＡＰから周期的に送出されるビーコン信号を検出する段階；
を含む無線ＬＡＮ−ＡＰの自動探索方法。
【請求項２】
前記ａ）段階は、
前記端末機が前記基地局のサービス領域に到達する場合、前記移動通信モジュールを介して位置の登録/更新メッセージを前記基地局に伝送する段階；
前記基地局から、位置登録/更新に対する応答/成功/失敗メッセージを受信する段階；及び
前記基地局から受信した応答/成功/失敗メッセージから、前記基地局内に存在する無線ＬＡＮ−ＡＰの位置情報を獲得する段階；
を含む、請求項１に記載の無線ＬＡＮ−ＡＰの自動探索方法。
【請求項３】
前記ａ）段階で、前記基地局内に存在する無線ＬＡＮ−ＡＰの位置情報を獲得した場合にのみ前記ｂ）段階が行われることを特徴とする、請求項１又は２に記載の無線ＬＡＮ−ＡＰの自動探索方法。
【請求項４】
前記端末機が、ａ）段階で獲得した無線ＬＡＮ−ＡＰの位置情報を特定ＡＰ位置情報格納部に格納することを特徴とする、請求項１又は２に記載の無線ＬＡＮ−ＡＰの自動探索方法。
【請求項５】
前記無線ＬＡＮ−ＡＰの位置情報が、無線ＬＡＮ−ＡＰの地政学的位置情報及び無線ＬＡＮ−ＡＰのサービス半径情報を含む、請求項１又は２に記載の無線ＬＡＮ−ＡＰの自動探索方法。
【請求項６】
前記無線ＬＡＮ−ＡＰの地政学的位置情報及び無線ＬＡＮ−ＡＰの サービス半径情報と、前記ＧＰＳ受信モジュールを介して追跡される前記端末機の位置情報とを比較して、前記無線ＬＡＮモジュールの駆動開始時点を決定することを特徴とする、請求項５に記載の無線ＬＡＮ−ＡＰの自動探索方法。
【請求項７】
無線ＬＡＮ−ＡＰ（ＡＰ：アクセスポイント）を自動的に探索する端末機において、
基地局との無線通信を行い、端末機が前記基地局のサービス領域内に到達する場合、前記基地局との位置登録/更新動作を行って、前記基地局のサービス領域内に存在する無線ＬＡＮ−ＡＰの位置情報を獲得する移動通信モジュール部；
前記移動通信モジュールによって獲得された無線ＬＡＮ−ＡＰの位置情報を格納するＡＰ位置情報格納部；
ＧＰＳ衛星によって前記端末機の位置情報を追跡するＧＰＳ受信モジュール部；
前記ＡＰ位置情報格納部に格納された無線ＬＡＮ−ＡＰの位置情報と、前記ＧＰＳ受信モジュール部によって追跡された前記端末機の位置情報とを比較して、駆動が開始される場合、無線ＬＡＮ−ＡＰから周期的に送出されるビーコン信号を検出して無線ＬＡＮ−ＡＰの探索を遂行する無線ＬＡＮモジュール部；
を含む端末機。
【請求項８】
前記移動通信モジュール部は、
前記端末機の位置登録/更新のために前記基地局に送信した位置登録/更新メッセージに対し、前記基地局が送信する応答/成功/失敗メッセージの中から前記無線ＬＡＮ−ＡＰの位置情報を獲得することを特徴とする、請求項７に記載の端末機。
【請求項９】
前記移動通信モジュール部が、前記基地局内に存在する無線ＬＡＮ−ＡＰの位置情報を獲得できない場合には、前記無線ＬＡＮ−ＡＰの自動探索を行わないことを特徴とする、請求項７に記載の端末機。
【請求項１０】
無線ＬＡＮモジュール、移動通信モジュール、及びＧＰＳ受信モジュールが同時に装着された端末機における、無線ＬＡＮ−ＡＰ（ＡＰ：アクセスポイント）を探索する方法の段階を遂行するように、コンピュータによって実行可能な命令で構成されるプログラムを有形的に具体化したコンピュータ読取可能記録媒体において、
前記方法の段階が、
ａ）前記移動通信モジュールを介して接続された基地局から、前記基地局のサービス領域内に存在する無線ＬＡＮ−ＡＰの位置情報を獲得する段階；
ｂ）前記ＧＰＳ受信モジュールを介して、端末機自身の現位置を継続的に追跡する段階；
ｃ）前記ａ）段階で獲得された無線ＬＡＮ−ＡＰの位置情報と、前記ｂ）段階で追跡された端末機自身の現位置情報とから、前記無線ＬＡＮモジュールの駆動開始時点を決定する段階；及び
ｄ）前記無線ＬＡＮモジュールを駆動して、無線ＬＡＮ−ＡＰから周期的に送出されるビーコン信号を検出する段階；
を含むコンピュータ読取可能記録媒体。
【発明の詳細な説明】
【技術分野】
【０００１】
本発明は、無線ＬＡＮ−ＡＰ（ＬＡＮアクセスポイント）を自動探索する方法に係り、特に、基地局のサービス領域内に存在する無線ＬＡＮ−ＡＰの位置情報と、ＧＰＳ（全地球測位システム）を介した端末機の位置情報とに基づいて無線ＬＡＮ−ＡＰを自動的に探索する方法、及びその方法を遂行する端末機に関するものである。
【背景技術】
【０００２】
現在、移動通信事業者は、移動通信モジュール（ＩＳ−９５や３Ｇ）を介してデータサービスを提供している。しかし、このような移動通信モジュールを介したデータサービスの料金があまりにも高価であり、また、提供速度が非常に遅いため、大きく活性化できていない状態にある。
【０００３】
そのための代案として、無線ＬＡＮモジュールを同時に搭載して、無線ＬＡＮ−ＡＰのある場所では移動通信モジュールでなく、無線ＬＡＮモジュールを介して低価格で高速のデータサービスが提供されるようにしている。
【０００４】
一方、無線ＬＡＮモジュールを搭載した端末機で、無線ＬＡＮ−ＡＰが現在動作しているか否かを判断するためには、動作中の無線ＬＡＮ−ＡＰが送出するビーコン信号を無線ＬＡＮモジュールが検出しなければならない。ビーコン信号を検出した場合に無線ＬＡＮモジュールは、当該無線ＬＡＮ−ＡＰを介してデータサービスの提供を受けることができる。
【０００５】
実際、無線ＬＡＮ−ＡＰが一定の領域でのみサービスを提供するという制限を有しているため、無線ＬＡＮモジュールと移動通信モジュールとの結合は、相互の長所のみを絶妙に結合したものであるといえる。
【０００６】
このような無線ＬＡＮモジュールと移動通信モジュールを同時に搭載した端末機（以下、二重端末機とする）が無線ＬＡＮ−ＡＰを介してデータサービスの提供を受けようとする場合には、動作中の無線ＬＡＮ−ＡＰが送出するビーコン信号を検出しなければならない。
【０００７】
図１は、二重端末機が移動する間、継続して無線ＬＡＮ−ＡＰのビーコン信号を検出する過程を示した図である。
【０００８】
図１に示されているように、二重端末機１１は、種々の経路１２を経て無線ＬＡＮ−ＡＰ１３のサービス領域１４、つまり、ビーコン信号が届く領域に到達した場合のみ、無線ＬＡＮを介したデータサービスの提供を受けることができる。
【発明の開示】
【発明が解決しようとする課題】
【０００９】
このように、無線ＬＡＮ−ＡＰが全ての場所に設置されているものではなく、データサービスを利用するだけのために人々が多く集まっている一部の公共場所にだけ設置されているため、二重端末機は、継続して無線ＬＡＮモジュールを介して無線ＬＡＮ−ＡＰが送出するビーコン信号を検出しなければならない。したがって、二重端末機が無線ＬＡＮ−ＡＰの存在しない領域内に位置する場合、動作中の無線ＬＡＮ−ＡＰを検出するために無線ＬＡＮモジュールを動作させることにより、無駄に自己の電源を消耗するという問題がある。
【００１０】
また、このような電源消耗の問題を解決するために無条件に無線ＬＡＮモジュールを動作させるのではなく、使用者が無線ＬＡＮ−ＡＰがありそうな場所で任意に無線ＬＡＮモジュールを動作させることもできるが、これは、使用者が無線ＬＡＮモジュールの動作及び動作中止時点をどのように決定すべきか神経を使わなければならない不便さを招く。
【００１１】
したがって、本発明は前記問題点を解決するためのものであって、その目的は、ＧＰＳ（全地球測位システム）受信モジュールを搭載した二重端末機が、ＧＰＳ受信モジュールを介して確認された自身の位置内で、サービス中の無線ＬＡＮ−ＡＰが存在する場合にのみ無線ＬＡＮサービスを試みるようにする無線ＬＡＮ−ＡＰの自動探索方法、及びその方法を遂行する端末機を提供することにある。
【課題を解決するための手段】
【００１２】
前記目的を達成するための本発明の特徴による無線ＬＡＮ−ＡＰ自動探索方法は、無線ＬＡＮモジュール、移動通信モジュール及びＧＰＳ受信モジュールが同時に装着された端末機で無線ＬＡＮ−ＡＰを探索する方法であって、ａ）前記移動通信モジュールを介して接続された基地局から、前記基地局のサービス領域内に存在する無線ＬＡＮ−ＡＰの位置情報を獲得する段階；ｂ）前記ＧＰＳ受信モジュールを介して、端末機自身の現位置を継続的に追跡する段階；ｃ）前記ａ）段階で獲得された無線ＬＡＮ−ＡＰの位置情報と、前記ｂ）段階で追跡された端末機自身の現位置情報とから、前記無線ＬＡＮモジュールの駆動開始時点を決定する段階；及びｄ）前記無線ＬＡＮモジュールを駆動して、無線ＬＡＮ−ＡＰから周期的に送出されるビーコン信号を検出する段階；を含む。
【００１３】
ここで、前記ａ）段階は、前記端末機が前記基地局のサービス領域に到達する場合、前記移動通信モジュールを介して位置の登録/更新メッセージを前記基地局に伝送する段階；前記基地局から位置登録/更新に対する応答/成功/失敗メッセージを受信する段階；及び前記基地局から受信した応答/成功/失敗メッセージから、前記基地局内に存在する無線ＬＡＮ−ＡＰの位置情報を獲得する段階；を含む。
【００１４】
また、前記ａ）段階で、前記基地局内に存在する無線ＬＡＮ−ＡＰの位置情報を獲得した場合にのみ、前記ｂ）段階が行われることを特徴とする。
【００１５】
また、前記端末機は、ａ）段階で獲得した無線ＬＡＮ−ＡＰの位置情報を特定ＡＰ位置情報格納部に格納することを特徴とする。
【００１６】
また、前記無線ＬＡＮ−ＡＰの位置情報は、無線ＬＡＮ−ＡＰの地政学的位置情報及び無線ＬＡＮ−ＡＰのサービス半径情報を含む。
【００１７】
また、前記無線ＬＡＮ−ＡＰの地政学的位置情報及び無線ＬＡＮ−ＡＰのサービス半径情報と、前記ＧＰＳ受信モジュールを介して追跡される前記端末機の位置情報とを比較して、前記無線ＬＡＮモジュールの駆動開始時点が決定されることを特徴とする。
【００１８】
本発明の他の特徴による端末機は、基地局との無線通信を行い、端末機が前記基地局のサービス領域内に到達する場合、前記基地局との位置登録/更新動作を行って前記基地局のサービス領域内に存在する無線ＬＡＮ−ＡＰの位置情報を獲得する移動通信モジュール部；前記移動通信モジュールによって獲得された無線ＬＡＮ−ＡＰの位置情報を格納するＡＰ位置情報格納部；ＧＰＳ衛星によって前記端末機の位置情報を追跡するＧＰＳ受信モジュール部；前記ＡＰ位置情報格納部に格納された無線ＬＡＮ−ＡＰの位置情報と、前記ＧＰＳ受信モジュール部によって追跡された前記端末機の位置情報とを比較して、駆動が開始される場合、無線ＬＡＮ−ＡＰから周期的に送出されるビーコン信号を検出して無線ＬＡＮ−ＡＰの探索を遂行する無線ＬＡＮモジュール部；を含む。
【００１９】
本発明の、また他の特徴によるコンピュータ読取可能記録媒体は、無線ＬＡＮモジュール、移動通信モジュール、及びＧＰＳ受信モジュールが同時に装着された端末機で、無線ＬＡＮ−ＡＰを探索する方法の諸段階を遂行するように、コンピュータによって実行可能な命令で構成されるプログラムを有形的に具体化したコンピュータ読取可能記録媒体であって、前記方法の段階が、ａ）前記移動通信モジュールを介して接続された基地局から、前記基地局のサービス領域内に存在する無線ＬＡＮ−ＡＰの位置情報を獲得する段階；ｂ）前記ＧＰＳ受信モジュールを介して、端末機自身の現位置を継続的に追跡する段階；ｃ）前記ａ）段階で獲得した無線ＬＡＮ−ＡＰの位置情報と、前記ｂ）段階で追跡された端末機自身の現位置情報とから、前記無線ＬＡＮモジュールの駆動開始時点を決定する段階；及びｄ）前記無線ＬＡＮモジュールを駆動して、無線ＬＡＮ−ＡＰから周期的に送出されるビーコン信号を検出する段階；を含む。
【発明の効果】
【００２０】
本発明によれば、毎瞬間ごとに現在サービス中の無線ＬＡＮ−ＡＰを探索することがないので、自己電源の消耗を減らすことができ、また、無線ＬＡＮ−ＡＰの探索を二重端末機が自動的に処理することにより、無線ＬＡＮ−ＡＰの探索に対する使用者の不便さを解消することができる。
【発明を実施するための最良の形態】
【００２１】
以下、本発明の実施形態について、添付した図面を参照して詳細に説明する。
【００２２】
図２は、本発明の実施形態による無線ＬＡＮ−ＡＰの自動探索を遂行する二重端末機のブロック図である。
【００２３】
図２に示すように、本発明の実施形態による二重端末機は、無線ＬＡＮモジュール２１、移動通信モジュール２２、ＧＰＳ受信モジュール２３、及びＡＰ位置情報格納部２４を含む。
【００２４】
無線ＬＡＮモジュール２１は、各種無線ＬＡＮ（ＩＥＥＥ  ８０２．１１ｂ/ａなど）接続機能を遂行し、移動通信モジュール２２は、多様な移動通信サービス（ＩＳ−９５/３ＧＰＰ/３ＧＰＰ２/ＧＳＭ）を提供し、ＧＰＳ受信モジュール２３は、位置情報を獲得して二重端末機に提供する。
【００２５】
ＡＰの位置情報格納部２４は、移動通信事業者を介して獲得した無線ＬＡＮ−ＡＰの位置情報を格納する。もちろん、この場合、移動通信事業者が、無線ＬＡＮサービスを提供する事業者を介して予め無線ＬＡＮ−ＡＰの位置情報を受け取り、格納しておくことは、当業者により容易に理解されることである。
【００２６】
図３は、本発明の実施形態により、二重端末機が無線ＬＡＮ−ＡＰの自動探索を遂行する動作を示した図である。
【００２７】
図３に示すように、基地局（イ）３１のサービス領域に位置していた二重端末機３２が移動し、基地局（ロ）３３のサービス領域３４に進入する位置３５に到達すれば、二重端末機は、移動通信モジュール２２を使用して基地局（ロ）３３に対する位置更新あるいは登録の手続を遂行する。
【００２８】
このような位置更新又は登録の手続を遂行する途中で、二重端末機３２は、基地局（ロ）３３のサービス領域３４内に位置する無線ＬＡＮ−ＡＰ（ハ）３６及び（ニ）３７の位置情報を、基地局（ロ）３３から伝達されてＡＰ位置情報格納部２４に格納する。
【００２９】
このように、無線ＬＡＮ−ＡＰ（ハ）３６及び（ニ）３７の位置情報を受信して格納した二重端末機３２は、ＧＰＳ受信モジュール２３を駆動して自身の現位置を引続き追跡する。
【００３０】
その後、二重端末機３２が無線ＬＡＮ−ＡＰ（ニ）３７のサービス領域３８に進入したことをＧＰＳ受信モジュール２３を介して確認すれば、二重端末機３２は、自身の無線ＬＡＮモジュール２１を駆動して、無線ＬＡＮ−ＡＰ（ニ）３７が周期的に送出するビーコン信号を検出し始める。その後で、二重端末機３２の無線ＬＡＮモジュール２１が無線ＬＡＮ−ＡＰ（ニ）３７のビーコン信号を検出すれば、無線ＬＡＮ−ＡＰ（ニ）３７が提供する無線ＬＡＮサービスを介してデータサービスの提供を受ける。
【００３１】
一方、二重端末機３２が基地局（ロ）３３を介した位置更新又は登録の手続を遂行する途中で、受信された無線ＬＡＮ−ＡＰの位置情報がない場合、二重端末機３２は、基地局（ロ）３３のサービス領域３４内では自身のＧＰＳ受信モジュール２３を駆動しない。
【００３２】
図４は、図２に示された二重端末機でのＡＰ位置情報格納部２４の構成図である。
【００３３】
図４に示すように、ＡＰ位置情報格納部２４は、無線ＬＡＮ−ＡＰの地政学的位置４１を格納する部分と、無線ＬＡＮ−ＡＰのサービス半径４２を格納する部分とからなる。
【００３４】
特に、無線ＬＡＮ−ＡＰの地政学的位置４１は、ＧＰＳなどを介して正確に実測された緯度と経度情報を含む。無線ＬＡＮ−ＡＰのサービス半径４２は１０ｍ単位であり、一層正確なサービス半径情報を獲得するために、実際の無線ＬＡＮ−ＡＰのサービス半径を測定して含ませることもできる。
【００３５】
図５は、図３に示された二重端末機３２が基地局３３のサービス領域３４に進入する場合の基地局３３との信号メッセージ交換手続を示した図である。
【００３６】
図５に示すように、基地局３３の位置登録領域３４に進入した二重端末機３２は、自身の位置を登録するために位置登録/更新メッセージを基地局３３に伝送する（Ｓ１）。
【００３７】
これを受信した基地局３３は、二重端末機３２の位置登録メッセージに対する応答として、位置登録/更新の応答/成功/失敗メッセージを二重端末機３２に伝送する（Ｓ２）。
【００３８】
基地局３３から位置登録/更新の応答/成功/失敗メッセージを受信した二重端末機３２は、位置登録/更新の応答/成功/失敗メッセージ内に含まれた位置登録領域内に存在する無線ＬＡＮ−ＡＰの位置情報を抽出して、自身の無線ＬＡＮ−ＡＰの位置情報格納部２４に保管する。
【００３９】
以上、本発明の最も実際的であり、好ましい実施形態を参照して説明したが、本発明は前記開示された実施形態に限定されず、特許請求の範囲内に属する多様な変形及び等価物も含む。
【図面の簡単な説明】
【００４０】
【図１】二重端末機が移動する間、継続して無線ＬＡＮ−ＡＰのビーコン信号を検出する過程を示した図である。
【図２】本発明の実施形態による無線ＬＡＮ−ＡＰの自動探索を遂行する二重端末機のブロック図である。
【図３】本発明の実施形態により、二重端末機が無線ＬＡＮ−ＡＰの自動探索を遂行する動作を示した図である。
【図４】図２に示された二重端末機でのＡＰの位置情報格納部の構成図である。
【図５】図３に示された二重端末機が基地局のサービス領域に進入する場合の基地局との信号メッセージ交換手続を示した図である。
【符号の説明】
【００４１】
１１、３２  二重端末機
１３、３６、３７  無線ＬＡＮ−ＡＰ
１４、３８  無線ＬＡＮ−ＡＰのサービス領域
２１  無線ＬＡＮ−ＡＰモジュール
２２  移動通信モジュール
２３  ＧＰＳ受信モジュール
２４  ＡＰ位置情報格納部
３１、３３  基地局
３４  基地局のサービス領域
【図１】
2006510259.tif 000003
【図２】
2006510259.tif 000004
【図３】
2006510259.tif 000005
【図４】
2006510259.tif 000006
【図５】
2006510259.tif 000007
【国際調査報告】
2006510259.tif 000008
2006510259.tif 000009